(57)【要約】【課題】  簡便にして溝蓋に貼着でき且つ視認性に優れ、また溝蓋が側溝等にきちんと蓋されてない場合に注意喚起できる有色シート付き溝蓋を提供する。【解決手段】  盤状直方体の溝蓋１と、該溝蓋１の側板１３に貼着される視認性の有色シート２と、を具備し、さらに前記有色シート２を蛍光反射シートとする一方、前記溝蓋１をメインバー１１とこれに直交するクロスバー１２とで格子状に形成すると共にその外周を所定幅の側板１３で囲んだ盤状直方体の金属製グレーチング１ａとし、さらに該グレーチング１ａを開け閉め可能な開閉蓋とする。【選択図】  図２
0003105453.tif 000002
【実用新案登録請求の範囲】
【請求項１】
盤状直方体の溝蓋と、該溝蓋の側板に貼着される視認性の有色シートと、を具備することを特徴とする有色シート付き溝蓋。
【請求項２】
前記有色シートを蛍光反射シートとする一方、前記溝蓋をメインバーとこれに直交するクロスバーとで格子状に形成すると共にその外周を所定幅の側板で囲んだ盤状直方体の金属製グレーチングとし、さらに該グレーチングを開け閉め可能な開閉蓋とする請求項１記載の有色シート付き溝蓋。
【請求項３】
盤状直方体の溝蓋と、該溝蓋の表面の一部に貼着される視認性の有色シートと、を具備することを特徴とする有色シート付き溝蓋。
【請求項４】
前記有色シートを標識マークが描かれた蛍光反射シートとし、且つその表面に凹凸が付与されたものとする請求項３記載の有色シート付き溝蓋。
【考案の詳細な説明】
【技術分野】
【０００１】
本考案は視認性の有色シートが溝蓋に貼着される有色シート付き溝蓋に関する。
【背景技術】
【０００２】
側溝などの開口部に蓋をするのに、グレーチング等からなる溝蓋が用いられているが、さらに該溝蓋に文字や図形等が描かれた溝蓋も提案されている(例えば特許文献１参照。)。
【０００３】
【特許文献１】特開平１０−００２００１号公報
【考案の開示】
【考案が解決しようとする課題】
【０００４】
しかるに、特許文献１は文字や図形等のマークを板面に形成したパネル板をボルト,ナットでグレーチングの表面に固定するものであり、取付け,取り外しができるものの結構大掛かりになっていた。また板面に塗装等を施しただけで視認性に欠けるきらいがあった。
一方、溝蓋は開口に単に蓋をするだけでなく、例えば降雪地帯では流雪溝の投雪口の溝蓋を開け、雪かきして集めた雪をそこへ投入して雪を処理することがあるが、処理後に溝蓋を閉めても時として溝蓋が浮いた状態で放置されることがあった。溝蓋が浮いたままだと、車の走行に支障をきたしたり人が躓いたりして危険であった。
また、流雪溝に限らず、開閉式集水桝及び点検口においても、点検中で開けた状態の場合など危険であった。
【０００５】
本考案は上記問題点を解決するもので、簡便にして溝蓋に貼着でき且つ視認性に優れ、また溝蓋が側溝等にきちんと蓋されてない場合に注意喚起できる有色シート付き溝蓋を提供することを目的とする。
【課題を解決するための手段】
【０００６】
上記目的を達成すべく、請求項１に記載の考案の要旨は、盤状直方体の溝蓋と、該溝蓋の側板に貼着される視認性の有色シートと、を具備することを特徴とする有色シート付き溝蓋にある。
請求項２の発明たる有色シート付き溝蓋は、請求項１で、有色シートを蛍光反射シートとする一方、溝蓋をメインバーとこれに直交するクロスバーとで格子状に形成すると共にその外周を所定幅の側板で囲んだ盤状直方体の金属製グレーチングとし、さらに該グレーチングを開け閉め可能な開閉蓋とすることを特徴とする。
請求項３に記載の考案の要旨は、盤状直方体の溝蓋と、該溝蓋の表面の一部に貼着される視認性の有色シートと、を具備することを特徴とする有色シート付き溝蓋にある。
請求項４の発明たる有色シート付き溝蓋は、請求項３で、有色シートを標識マークが描かれた蛍光反射シートとし、且つその表面に凹凸が付与されたものとすることを特徴とする。
【考案の効果】
【０００７】
本考案の有色シート付き溝蓋は、有色シートを溝蓋の表面又は側面に貼着するので、簡便に取り付けることができる。例えば、禁煙マーク等が描かれた有色シートを溝蓋の表面に貼着すれば吸殻等の投げ捨てを抑制できる効果を発揮する。有色シートに凹凸を付与すれば滑り止め効果が期待できる。また有色シートが溝蓋の側面に貼着し、溝蓋が開け閉め可能な開閉蓋に用られれば、溝蓋がきちんと蓋されてないと、有色シートが現れてこれが目立ち、その不具合を周囲に認識させることができる。有色シートに蛍光反射シートを用いれば視認性向上に一層役立つ。蛍光反射シートは光を反射する視認性が良好で、蓋が閉まってない状態の危険性を認識させ事故を未然に防ぐ一助になる。
【考案を実施するための最良の形態】
【０００８】
以下、本考案に係る有色シート付き溝蓋について詳述する。
(１)実施形態１
図１,図２は本考案の有色シート付き溝蓋の一形態で、図１はその斜視図、図２は使用状態下で溝蓋が閉まってない場合の斜視図である。
【０００９】
有色シート付き溝蓋は溝蓋１と有色シート２とを備える。溝蓋１は側溝等の溝に蓋をするコンクリート製或いは金属製の溝蓋１である。
【００１０】
ここでの溝蓋１は側溝に蓋をする金属製グレーチングからなり、さらに開け閉め可能な開閉蓋１ａになっている。溝蓋１は支軸４に支えられ、該支軸４を中心に回動させ側溝等の開口Ｏの開け閉めを可能とする。メインバー１１とこれに直交するクロスバー１２とで格子状に形成すると共にその外周を所定幅の側板１３で囲んだ金属製グレーチング１ａで、盤状直方体の溝蓋１を形成する。最外側にあるメインバー１１は側板１３にもなる。ここでは溝蓋１が図１のごとく一対設けられ、夫々の溝蓋１は多数の金属製帯板からなるメインバー１１とこれに直交するクロスバー１２たるツイストバーで組格子を形成するが、その組格子の形成によりスリットεができる。支軸４は溝蓋１のメインバー側板１３の長手方向に沿って溝蓋１の回動軸として配設され、その回動軸の両端部を枠体６に設けた透孔に挿通し(図１)、溝蓋１の回動動作で該溝蓋１と一体的に回動する。本実施形態は盤状直方体を形成した複数のメインバー１１のなかの最外側に位置するメインバー側板１３に支軸４を取付ける。支軸４は金属製外筒４１と金属製中軸４２を備え、外筒４１が溝蓋１の側板１３にあたる最外側に位置するメインバー１１の長手方向に沿って固定(溶接固定)される。符号５は一端５２を支軸４と一緒に回動する板片４３に係止する一方、他端５１を枠体６に係止するコイルバネである。コイルバネ５は弾性変形させた状態(例えばバネを締め付け或いは圧縮した状態)にして溝蓋１が開口Ｏに蓋される。符号７は溝蓋１を開口Ｏに蓋したときに受け支える受け部材、符号４４は外筒４１と中軸４２とを一体化させる止着ボルトである。
【００１１】
有色シート２は視認性の高い有色のシートで、ここでは蛍光反射シートを用いている。本実施形態は、住友スリーエム社製Scotchlite#3983βの蛍光反射シートを使用する。当該蛍光反射シート２は粗面への貼りつけが容易な接着剤３が使われており、溝蓋１への貼着に打ってつけとなっている。当該蛍光反射シートは成形材料そのものが着色されているので、擦り減ったりしても色落ちしない特徴がある。
有色シート２は、図１,図２のごとく溝蓋１の側板１３に、長方形の所定大きさにして貼着される。有色シート２は溝蓋１が開口Ｏにきちんと蓋されているときは地上から見えず、一方、溝蓋１が不完全な状態で蓋され、溝蓋１の一部が浮き上がったときに、図２のように視認できる側板１３の位置に貼着する。図２は側板１３の上縁に沿わせて有色シート２を貼着するが、図１のごとく側板１３の上縁より若干下方に有色シート２を貼着することもできる。
【００１２】
このように構成した有色シート付き溝蓋は、有色シート２が溝蓋１の側板１３に貼着されることから、溝蓋１が側溝等の開口Ｏにきちんと蓋されてない場合に、有色シート２が地上に現れるので人の目につきやすい。正常に蓋されてない不具合を早く知ることができ、溝蓋１を正常状態に直して事故防止に役立てることができる。特に、溝蓋１が開け閉め可能な開閉蓋である場合に、威力を発揮する。また有色シート２が蛍光反射シートであると、昼夜を問わず目立つのでいち早く対策を講じることができ、事故防止に一層役立つ。
【００１３】
(２)実施形態２
図３〜図５は溝蓋の表面に有色シートを貼着した有色シート付き溝蓋で、図３はその斜視図、図４はその部分縦断面、図５は他態様の有色シート付き溝蓋の斜視図である。
【００１４】
本有色シート付き溝蓋は、盤状直方体の溝蓋１と該溝蓋１の表面の一部に貼着される視認性の有色シート２とを具備する。
溝蓋１は実施形態１と同様でその説明を省く。実施形態１と同一符号は同一又は相当部分を示す。
【００１５】
有色シート２は視認性の高い有色のシートで、前記蛍光反射シートが用いられている。有色シート２は接着剤３で溝蓋１の表面に貼着される。本実施形態の有色シート２は図３のごとく禁煙マークが描かれた円板形の蛍光反射シートになっている。ここでは、さらに有色シート２の表面に図４のごとく凹凸２１を付け、滑り止め機能を付与している。
なお、有色シート２のマークに関しては前記禁煙マークに限らず、駐車禁止マークや市町村マーク等の様々なものを用いることができる。また溝蓋１は金属製グレーチングの溝蓋１ａでなく、図５のごとくコンクリート製溝蓋１ｂとすることができる。さらに発展させて、溝蓋１以外の道路用コンクリート製品に有色シート２を貼着することもできる。また同一平面上にある溝蓋１の表面に有色シートを貼着してもよいが、有色シート２の貼着する溝蓋の部位を凹ませて、溝蓋１の上面と有色シート２の上面とを面一にするか、又は有色シート２のところだけ若干下げることもできる。
【００１６】
このように構成した有色シート付き溝蓋は、有色シート２がシート状体であるので、接着剤３で溝蓋１に容易に貼着固定できる。そして、溝蓋１の表面に有色シート２が貼着されるので、視認性に優れ、例えば禁煙マークが有色シート２に描かれていれば注意喚起を促すことができる。吸殻等の投げ捨てを心理的に抑制することが期待できる。特に、有色シート２が蛍光反射シートからなると、夜間など周りが暗い環境でも光を反射し一段と視認性が良好となる。そのマークが、後からの塗装でなく、成形材料そのものに顔料等で色付けしたものが用いられると、色落ちしなく長期に亘って視認性良好となる。さらに有色シート２の表面に凹凸２１が付与されていると、ノンスリップ効果を発揮する。
【００１７】
尚、本考案においては、前記実施形態に示したものに限られず、目的,用途に応じて本考案の範囲で種々変更できる。溝蓋１,有色シート２等の形状,大きさ等は用途等に合わせて適宜選択できる。
【図面の簡単な説明】
【００１８】
【図１】実施形態１の有色シート付き溝蓋の説明斜視図である。
【図２】使用状態下で溝蓋が閉まってない場合の有色シート付き溝蓋の斜視図である。
【図３】実施形態２の有色シート付き溝蓋の説明斜視図である。
【図４】図３の部分縦断面図である。
【図５】他態様の有色シート付き溝蓋の斜視図である。
【符号の説明】
【００１９】
１              溝蓋
１ａ            グレーチング
１１            メインバー
１２            クロスバー
１３            側板
２              有色シート(蛍光反射シート)
２１            凹凸
【図１】
0003105453.tif 000003
【図２】
0003105453.tif 000004
【図３】
0003105453.tif 000005
【図４】
0003105453.tif 000006
【図５】
0003105453.tif 000007